(57)【要約】【課題】電磁波の遮断効果を高めることができるとともに、光源を支持し概ね平板状となる支持体の曲げ弾性係数を電磁波遮断用のカバーにより高めることができる光源装置及び表示装置を提供する。【解決手段】一面に光源を支持する略矩形の板部３１を有する支持体３の板部３１の他面に、離隔した位置で該板部３１を補強する二つの補強杆６，６を取付け、該補強杆６，６の間に回路基板１５を装着し、該回路基板１５に対する電磁波遮断用のカバー１８を補強杆６，６に取付けて、補強杆６，６が電磁波を遮断し、カバー１８が板部３１の曲げ弾性係数を高めるようにした。【選択図】図３
2010067520.tif 000002
【特許請求の範囲】
【請求項１】
一面で光源を支持する略矩形の板部を有する支持体を備える光源装置において、前記板部の他面には、離隔した位置で該板部を補強する二つの補強杆を取付けてあり、該補強杆夫々の間に回路基板を装着してあり、該回路基板に対する電磁波を遮断するカバーを備え、該カバーを前記二つの補強杆に取付けてあることを特徴とする光源装置。
【請求項２】
一面で光源を支持する略矩形の板部を有する支持体を備える光源装置において、前記板部の他面には、長手方向一側部及び他側部の長手方向に離隔した夫々二つの位置で該板部を補強する二つの補強杆を夫々取付けてあり、該補強杆夫々の間に回路基板を夫々装着してあり、該回路基板夫々に対する電磁波を遮断する二つのカバーを備え、該カバー夫々を前記補強杆夫々に取付けてあることを特徴とする光源装置。
【請求項３】
前記カバーは、前記回路基板を被覆し、皿形をなす被覆板部と、該被覆板部の周縁に連なり、前記補強杆夫々に取付けられる被取付部を有する請求項１又は２記載の光源装置。
【請求項４】
前記カバーは、前記補強杆夫々の端部間を遮蔽する遮蔽部を有する請求項１から３のいずれか一つに記載の光源装置。
【請求項５】
前記カバーは、前記板部に取付けられる第２被取付部を有する請求項１から４のいずれか一つに記載の光源装置。
【請求項６】
前記板部は、前記補強杆夫々の端部に結合され、前記板部を補強する第２補強杆を取付けてある請求項１又は２記載の光源装置。
【請求項７】
第２回路基板を支持する台板を備え、前記補強杆夫々の、内側で対向する二つに前記台板を取付けてある請求項２記載の光源装置。
【請求項８】
前記台板は、前記補強杆夫々に取付けられる被取付部を有し、該被取付部間に、前記台板を補強する複数の第３補強杆を取付けてある請求項７記載の光源装置。
【請求項９】
第３回路基板を支持する第２台板を備え、該第２台板を前記第３補強杆夫々に取付けてある請求項８記載の光源装置。
【請求項１０】
表側に表示面を有する表示部と、該表示部の裏側に配された請求項１から９のいずれか一つに記載の光源装置とを備えることを特徴とする表示装置。
【発明の詳細な説明】
【技術分野】
【０００１】
本発明は液晶表示装置等の表示装置の光源として使用される光源装置に関する。
【背景技術】
【０００２】
テレビジョン等の表示装置は、画像を表示する表示面を前側に有する表示部の後側に光源装置が配されている。
【０００３】
光源装置は、例えば並置される複数の蛍光管をケース内に収容してなるバックライトユニットと、該バックライトユニットを収納する収納空間を有する断面コ字形をなすシャーシと、該シャーシの背面に取付けられた回路基板と、該回路基板を被覆し、該回路基板に関して電磁波を遮断するカバーとを備える（例えば、特許文献１参照。）。
【特許文献１】特開平１０−１０５０８７号公報
【発明の開示】
【発明が解決しようとする課題】
【０００４】
ところが、特許文献１のように断面コ字形をなすシャーシの収納空間に蛍光管を有するバックライトユニットを収納支持する光源装置にあっては、シャーシの収納空間の容積が比較的多くなるため、シャーシの厚さが比較的厚くなり、また、このシャーシの背面に回路基板用のカバーが取付けられるため、光源装置の厚さがより一層厚くなり、薄型化に支障を来す。
【０００５】
テレビジョン等の表示装置は益々薄型化及び大型化になっている。しかし、特許文献１のような蛍光管を備える光源装置が使用されると、表示装置の薄型化に支障を来すことになり、改善策が要望されている。
【０００６】
光源装置の厚さを薄くするには、発光ダイオードを有する発光ダイオード基板と、該発光ダイオード基板を支持する支持体を備える構成とすることにより達成することができる。しかし、この光源装置にあっては、支持体が概ね平板状になるため、支持体の曲げ強度が不足し、光源装置の剛性が不十分となり、さらなる改善策が要望される。
【０００７】
本発明は斯かる事情に鑑みてなされたものであり、主たる目的は一面で光源を支持する略矩形の板部を有する支持体の板部の他面に、離隔した位置で該板部を補強する二つの補強杆を取付けてあり、該補強杆夫々の間に回路基板を装着してあり、該回路基板に対する電磁波を遮断するカバーを備え、該カバーを前記二つの補強杆に取付けてある構成とすることにより、電磁波の遮断効果を高めることができるとともに、カバーが板部の補強を兼ね、板部の曲げ弾性係数を高めることができ、比較的大型の支持体が概ね平板状となる場合においても、該支持体の剛性を高めることができる光源装置及び表示装置を提供することにある。
【課題を解決するための手段】
【０００８】
本発明に係る光源装置は、一面で光源を支持する略矩形の板部を有する支持体を備える光源装置において、前記板部の他面には、離隔した位置で該板部を補強する二つの補強杆を取付けてあり、該補強杆夫々の間に回路基板を装着してあり、該回路基板に対する電磁波を遮断するカバーを備え、該カバーを前記二つの補強杆に取付けてあることを特徴とする。
【０００９】
この発明にあっては、板部を補強する二つの補強杆が電磁波を遮断するため、電磁波の遮断効果を高めることができ、しかも、電磁波を遮断するカバーが二つの補強杆と一体になり、このカバーと一体構造の補強杆が板部の他面に取付けられているため、該板部の曲げ弾性係数を補強杆及びカバーにより高めることができ、比較的大型の支持体が概ね平板状になっても該支持体の剛性を高めることができる。
【００１０】
また、本発明に係る光源装置は、一面で光源を支持する略矩形の板部を有する支持体を備える光源装置において、前記板部の他面には、長手方向一側部及び他側部の長手方向に離隔した夫々二つの位置で該板部を補強する二つの補強杆を夫々取付けてあり、該補強杆夫々の間に回路基板を夫々装着してあり、該回路基板夫々に対する電磁波を遮断する二つのカバーを備え、該カバー夫々を前記補強杆夫々に取付けてあることを特徴とする。
この発明にあっては、板部を補強する二つの補強杆が電磁波を遮断するため、電磁波の遮断効果を高めることができ、しかも、電磁波を遮断する二つのカバーが、板部の長手方向一側部と他側部とに配してある二つの補強杆と一体になり、この二つのカバーと一体構造の補強杆が板部の他面に取付けられているため、該板部の曲げ弾性係数を補強杆及びカバーにてより一層高めることができ、比較的大型の支持体が概ね平板状になっても該支持体の剛性を高めることができる。
【００１１】
また、本発明に係る光源装置は、前記カバーは、前記回路基板を被覆し、皿形をなす被覆板部と、該被覆板部の周縁に連なり、前記補強杆夫々に取付けられる被取付部を有する構成とするのが好ましい。
この発明にあっては、補強杆夫々がカバーの一部を兼ねるため、該カバーを浅底に形成することができ、この浅底のカバーが補強杆夫々に取付けられるため、カバーによる補強効果を高めることができ、比較的大型の支持体が概ね平板状になっても、該支持体の剛性を高めることができる。
【００１２】
また、本発明に係る光源装置は、前記カバーは、前記補強杆夫々の端部間を遮蔽する遮蔽部を有する構成とするのが好ましい。
この発明にあっては、補強杆夫々の間をカバーが被覆するだけでなく、補強杆夫々の端部間をカバーが遮蔽しているため、電磁波の遮断効果を高めることができる。
【００１３】
また、本発明に係る光源装置は、前記カバーは、前記板部に取付けられる第２被取付部を有する構成とするのが好ましい。
この発明にあっては、電磁波を遮断するカバーが二つの補強杆及び板部に個別に取付けられ、該カバーと二つの補強杆及び板部とが一体になるため、板部の曲げ弾性係数を補強杆及びカバーにてより一層高めることができ、比較的大型の支持体が概ね平板状になっても該支持体の剛性を高めることができる。
【００１４】
また、本発明に係る光源装置は、前記板部は、前記補強杆夫々の端部に結合され、前記板部を補強する第２補強杆を取付けてある構成とするのが好ましい。
この発明にあっては、二つの補強杆の端部に第２補強杆が結合され、コ字形をなす一体構造になっており、この一体構造の補強杆及び第２補強杆が支持体の板部の他面に取付けられているため、該板部の曲げ弾性係数をより一層高めることができ、比較的大型の支持体が概ね平板状になっても該支持体の剛性をより一層高めることができる。
【００１５】
また、本発明に係る光源装置は、第２回路基板を支持する台板を備え、前記補強杆夫々の、内側で対向する二つに前記台板を取付けてある構成とするのが好ましい。
この発明にあっては、板部の長手方向に離隔する二つの補強杆夫々に取付けてある台板が補強杆夫々を補強し、台板が一体構造の補強杆とともに板部を補強しているため、該板部の曲げ弾性係数をより一層高めることができ、比較的大型の支持体が概ね平板状になっても、該支持体の剛性を高めることができる。
【００１６】
また、本発明に係る光源装置は、前記台板は、前記補強杆夫々に取付けられる被取付部を有し、該被取付部間に、前記台板を補強する複数の第３補強杆を取付けてある構成とするのが好ましい。
この発明にあっては、複数の第３補強杆が台板を補強し、該台板が二つの補強杆及び板部を補強しているため、板部の曲げ弾性係数をより一層高めることができ、比較的大型の支持体が概ね平板状になっても、該支持体の剛性を高めることができる。
【００１７】
また、本発明に係る光源装置は、第３回路基板を支持する第２台板を備え、該第２台板を前記第３補強杆夫々に取付けてある構成とするのが好ましい。
この発明にあっては、第２台板に取付けてある第３回路基板を台板から離隔させることができ、第３回路基板と台板との間に通気路を設けることができるため、該通気路により第３回路基板の放熱性を高めることができ、第３回路基板の耐久性を高めることができる。
【００１８】
また、本発明に係る表示装置は、表側に表示面を有する表示部と、該表示部の裏側に配される上述した発明の光源装置とを備えることを特徴とする。
この発明にあっては、電磁波を遮断するカバーが二つの補強杆と一体になり、このカバーと一体構造の補強杆が板部の他面に取付けられているため、該板部の曲げ弾性係数を補強杆及びカバーにより高めることができ、比較的大型の支持体が概ね平板状になっても該支持体の剛性を高めることができる。
【発明の効果】
【００１９】
本発明によれば、板部を補強する二つの補強杆が電磁波を遮断するため、電磁波の遮断効果を高めることができ、しかも、電磁波を遮断するカバーが二つの補強杆と一体になり、このカバーと一体構造の補強杆が板部の他面に取付けられているため、該板部の曲げ弾性係数を補強杆及びカバーにより高めることができ、比較的大型の支持体が概ね平板状になっても該支持体の剛性を高めることができる。
【発明を実施するための最良の形態】
【００２０】
以下本発明をその実施の形態を示す図面に基づいて詳述する。図１は表示装置に組込まれる光源装置の構成を示す背面図、図２は光源装置のカバーを取外した状態の構成を示す背面図、図３は光源装置の回路基板及びカバー部分の構成を示す拡大斜視図、図４はカバー部分の構成を示す拡大背面図、図５は図４のV −V 線の拡大断面図、図６はカバーの構成を示す一部を省略した斜視図、図７はカバー取付部分を拡大した斜視図、図８は光源装置のカバーを取外した状態の構成を示す背面図、図９は補強杆を取外した状態の構成を示す支持体の背面側斜視図、図１０は光源装置の光源部分の構成を示す模式的断面図、図１１は光源装置の構成を示す模式的断面図、図１２は光源の構成を示す模式的説明図、図１３は補強杆の構成を示す斜視図、図１４は補強杆の取付部の構成を示す拡大断面図、図１５は台板の構成を示す背面図である。
【００２１】
図示した光源装置は、前側に表示面を有し、略直方体をなす表示部を備える薄型の表示装置における表示部の後側に装着されるもので、碁盤目のように並置される複数の発光ダイオード１と、該発光ダイオード１を実装してある複数の発光ダイオード基板２と、該発光ダイオード基板２を並べて支持する支持体３と、発光ダイオード１が発光した光を横方向へ導く複数の導光板４と、該導光板４が導いた光を支持体３と反対方向へ反射させる複数の反射板５とを備える。
【００２２】
支持体３は金属板を成形してなり、略矩形をなす平板状の板部３１を有し、該板部３１の一面に複数の発光ダイオード基板２を長手方向及び幅方向に並べて支持してあり、該発光ダイオード基板２夫々と板部３１との間に、発光ダイオード１が発生した熱を発光ダイオード基板２から板部３１へ放熱する放熱板１０を介在してある。
【００２３】
板部３１には該板部３１の長手方向に並置される発光ダイオード基板２同士を導線で接続するため複数の接続用孔３２と、導光板４夫々を個別に取付けるための複数の取付孔３３とが開設されている。また、板部３１の周縁部には板厚方向へ偏倚する段部３４が設けられており、該段部３４と発光ダイオード基板２との間に導光板４夫々の一部を支持する細長状の第１支持板１１が取付けられ、段部３４よりも周縁側に後記する光学シートを支持する細長状の第２支持板１２が取付けられる。
【００２４】
発光ダイオード基板２は略矩形をなし、一面に発光ダイオード１を実装してあり、板部３１の一面に並べて取付けられている。
【００２５】
導光板４は、入光面４ａと、該入光面４ａに入光した光を入光面４ａとほぼ直交する方向へ照射する出光面４ｂとを有し、発光ダイオード１の一側と対向する位置に入光面４ａを配し、前記表示部の後側の面と対向する位置に出光面４ｂを配してあり、出光面４ｂと反対側の面に反射板５が貼付けられている。
【００２６】
以上のように一面に発光ダイオード基板２が取付けられた板部３１の他面には、長手方向に離隔した位置で該板部３１を補強する四つの補強杆６と、該補強杆６夫々の一端及び板部３１の長辺との間で補強杆６夫々の端部に結合され、板部３１を補強する第２補強杆７とを複数の間座部材６０を介して複数の雄螺子１３により取付けてある。
【００２７】
補強杆６は図１３に示すように金属板を断面コ字形に成形してなり、板部３１の幅よりも短い長さに形成されている。隣合う二つの補強杆６，６は、比較的短い離隔距離で板部３１の長手方向一側部に溝が板部３１と対向するように並置され、他の隣合う二つの補強杆６，６は、比較的短い離隔距離で板部３１の長手方向他側部に溝が板部３１と対向するように並置されている。また、補強杆６夫々の両端には挿通孔を有する被結合部６１を設けてあり、長手方向の中間には複数の第１孔６２、第２孔６３及び第３孔６４が開設されている。
【００２８】
第２補強杆７は金属板を断面コ字形に成形してなり、板部３１の長さよりも短い長さに形成され、両端部夫々に二つの被結合部７１，７１が設けられている。第２補強杆７は板部３１の縁よりも中央側へ離隔した位置に板部３１の長辺と平行的に配され、一端部の二つの被結合部７１，７１が二つの補強杆６，６の一端部の被結合部６１，６１に雄螺子１４により結合されているとともに、溝が板部３１と対向するように板部３１に固定されており、他端部の二つの被結合部７１，７１が二つの補強杆６，６の一端部の被結合部６１，６１に雄螺子１４により結合されているとともに、溝が板部３１と対向するように板部３１に固定されている。
【００２９】
板部３１の長手方向一側部に並置してある補強杆６，６夫々の間の板部３１には、発光ダイオード基板２に接続される電源回路基板１５が複数の雄螺子により取付けられており、板部３１の長手方向他側部に並置してある補強杆６，６夫々の間の板部３１には、発光ダイオード基板２に接続され、発光ダイオード１を制御する制御回路基板１６が複数の雄螺子により取付けられており、また、板部３１の長手方向中央で、第２補強杆７と反対側には前記表示部を制御する制御回路基板１７が複数の雄螺子により取付けられている。また、補強杆６，６夫々の間の板部３１には、後記するカバーを取付けるための取付孔３５が開設されている。
【００３０】
板部３１の長手方向一側部に並置してある補強杆６，６夫々には、電源回路基板１５を被覆し、該電源回路基板１５に対する電磁波遮断用のカバー１８が複数の雄螺子により取付けられており、板部３１の長手方向他側部に並置してある補強杆６，６夫々には、制御回路基板１６を被覆し、該制御回路基板１６に対する電磁波遮断用のカバー１９が複数の雄螺子により取付けられている。
【００３１】
カバー１８，１９は、電源回路基板１５，制御回路基板１６を被覆し、略矩形の細長の皿形をなす被覆板部１８ａ，１９ａと、該被覆板部１８ａ，１９ａの幅方向両側縁に連なり、補強杆６，６に取付けられる被取付部１８ｂ，１８ｂ、１９ｂ，１９ｂと、被覆板部１８ａ，１９ａの長手方向両側縁に連なり、板部３１に取付けられる第２被取付部１８ｃ，１９ｃと、被覆板部１８ａ，１９ａの長手方向両側において被取付部１８ｂ，１８ｂ、１９ｂ，１９ｂ及び第２被取付部１８ｃ，１９ｃから被覆板部１８ａ，１９ａと反対方向へ突出し、補強杆６，６の端部間を遮蔽する遮蔽板部１８ｄ，１９ｄとを有する。
【００３２】
被取付部１８ｂ，１８ｂ、１９ｂ，１９ｂの複数箇所に第１挿通孔１８ｅ，１８ｅが離隔して開設され、第２被取付部１８ｃ，１９ｃに第２挿通孔１８ｆ，１９ｆが開設されている。また、被取付部１８ｂ，１８ｂ、１９ｂ，１９ｂには後記する台板８の第２突片８３が重なり、雄螺子により取付けられるため、被取付部１８ｂ，１８ｂ、１９ｂ，１９ｂの雄螺子と対応する箇所は欠除部１８ｇ，１９ｇが設けられている。
【００３３】
このように構成されたカバー１８，１９は、第１挿通孔１８ｅ，１９ｅに挿入する雄螺子を補強杆６，６の第３孔６４に捩込み、第２挿通孔１８ｆ，１９ｆに挿入する雄螺子を板部３１の取付孔３５に捩込むことにより取付けられる。
【００３４】
第２補強杆７により一端部が結合された内側二つの補強杆６，６には、前記表示部に電源を供給する電源回路基板２０、及び前記表示部の表示面に表示される画像を処理する端子回路基板２１等の複数の回路基板を支持する台板８が取付けられている。
【００３５】
台板８は金属板を成形してなり、一面で電源回路基板２０及び端子回路基板２１を支持し、略矩形をなす支持板部８１と、該支持板部８１の長手方向両縁から一面側へ突出する二つの第１突片８２，８２及び第１突片８２，８２の先端から互いに外向きに突出する被取付部としての第２突片８３，８３とを有し、第２突片８３，８３に複数の取付孔が開設されており、第２孔６３に挿入する雄螺子により第２突片８３，８３を内側二つの補強杆６，６に取付けられている。台板８は他面が板部３１と若干離隔して対向し、発光ダイオード１の発光により発生する熱が板部３１から台板８へ直接伝達されないようにしてある。
【００３６】
支持板部８１の長手方向両端間には、台板８を補強する二つの第３補強杆９，９が長手方向に離隔して取付けられており、該第３補強杆９，９の長手方向中間に、電源回路基板２０を支持する二つの第２台板２２，２２が取付けられている。また、支持板部８１の長手方向中央部で、第３補強杆９，９の間には制御回路基板１７に対応する欠除部８４が設けられている。
【００３７】
欠除部８４は支持板部８１の長辺に凹形に開放された貫通する孔であり、欠除部８４にて露出する板部３１の露出位置に、制御回路基板１７を支持する第３台板２３が複数の雄螺子により取付けられている。
【００３８】
第３補強杆９，９は金属板を断面コ字形に成形してなり、支持板部８１の幅よりも若干短い長さに形成され、溝が支持板部８１と対向するように支持板部８１に固定されている。第３補強杆９，９の一端には挿通孔を有する被結合部９１を設けてあり、長手方向の中間には複数の第４孔９２を開設してある。
【００３９】
第２台板２２は金属板を比較的細幅に成形してなり、板部３１の長手方向一側部で内側に配してある補強杆６，６から一方の第３補強杆９を跨越して配されている他方の第３補強杆９に至る長さに形成されている。第２台板２２は第３補強杆９，９の長手方向へ離隔して並置され、一端部が補強杆６の長手方向中間に雄螺子にて取付けられ、他端部及び中間部が二つの第３補強杆９，９の長手方向中間に雄螺子にて取付けられている。
【００４０】
電源回路基板２０は略四角形をなし、該電源回路基板２０の対向する両縁部夫々を第２台板２２に雄螺子により取付けてある。
【００４１】
以上のように構成された光源装置の支持体３は、比較的短い離隔距離で取付けられた二つの補強杆６，６が板部３１の長手方向両側にあり、この両側の補強杆６，６夫々の間に電源回路基板１５，制御回路基板１６が装着され、電源回路基板１５を被覆する電磁波遮断用のカバー１８が補強杆６，６夫々に取付けられ，制御回路基板１６を被覆する電磁波遮断用のカバー１９が補強杆６，６夫々に取付けられ、該カバー１８，１９及び補強杆６，６が板部３１と一体構造となり、板部３１を補強しているため、平板状の支持体３の曲げ弾性係数を高めることができる。
【００４２】
また、四つの補強杆６の一端に第２補強杆７が結合され、補強杆６，６と第２補強杆７及びカバー１８，１９とが一体構造のコ字形をなし、この一体構造の補強杆６と第２補強杆７及びカバー１８，１９が支持体３の板部３１に取付けられ該板部３１と一体構造になっているため、平板状の支持体３の曲げ弾性係数をより一層高めることができる。
【００４３】
また、電源回路基板２０を支持する台板８を離隔する二つの補強杆６，６に取付けてあり、台板８が支持体３の板部３１を補強しているため、支持体３の曲げ弾性係数をより一層高めることができる。
【００４４】
図１６は本発明に係る光源装置を備える表示装置の構成を示す断面図である。この表示装置は、テレビ画像を表示する表示面を前側に有する表示部４０と、該表示部４０の後側に配されている光源装置Ａと、表示部４０の周縁部及び光源装置Ａの後側を被覆するキャビネット４１とを備える。
【００４５】
表示部４０は、表示面を有する表示パネル４２と、該表示パネル４２の後側に配されている光学シート４３とを有する。表示パネル４２の周縁部は、前保持枠体４４と、後保持枠体４５とにより前後に挾着保持され、パネルモジュールを構成しており、後保持枠体４５が支持体３の周縁部に取付けられている。
【００４６】
光学シート４３は、光源としての発光ダイオード１が発光した光を拡散する比較的厚肉の二枚の拡散板４３ａと、反射偏光板、プリズムシート、拡散シート等の比較的薄肉の合成樹脂シート４３ｂが積層された積層体であり、拡散板４３ａの周縁部が第２支持板１２を介して支持体３の周縁部に支持されている。
【００４７】
キャビネット４１は、表示部４０の周縁部前側を被覆するキャビネット前分体４１ａと、光源装置Ａの周縁部及び後側を被覆する深皿形状のキャビネット後分体４１ｂとを有し、支持体３の周縁に雄螺子により取付けられている。
【００４８】
尚、以上説明した実施の形態では、光源として発光ダイオード１を備える構成としたが、その他、ランプを有する光源であってもよく、光源の構成は特に制限されない。
【００４９】
また、以上説明した実施の形態では、板部３１の長手方向両側に二つの補強杆６，６を夫々並置し、両側の補強杆６夫々の間に電源回路基板１５，制御回路基板１６が装着され、電源回路基板１５，制御回路基板１６を被覆するカバー１８，１９を備える構成としたが、その他、板部３１の長手方向中間に二つの補強杆６，６を並置し、補強杆６，６の間に電源回路基板１５又は制御回路基板１６が装着され、電源回路基板１５又は制御回路基板１６を被覆するカバー１８又は１９を備える構成としてもよい。また、補強杆６，６の間に装着される回路基板は板部３１に直接取付けられる構成である他、台板に支持し、該台板を介して装着される構成であってもよい。
【００５０】
また、以上説明した実施の形態では、回路基板を支持する台板８を備える構成としたが、その他、台板８がなく、板部３１に回路基板が取付けられる構成としてもよい。
【図面の簡単な説明】
【００５１】
【図１】本発明に係る表示装置に組込まれる光源装置の構成を示す背面図である。
【図２】本発明に係る光源装置のカバーを取外した状態の構成を示す背面図である。
【図３】本発明に係る光源装置の回路基板及びカバー部分の構成を示す拡大斜視図である。
【図４】本発明に係る光源装置のカバー部分の構成を示す拡大背面図である。
【図５】図４のV −V 線の拡大断面図である。
【図６】本発明に係る光源装置のカバーの構成を示す一部を省略した斜視図である。
【図７】本発明に係る光源装置のカバー取付部分を拡大した斜視図である。
【図８】本発明に係る光源装置のカバーを取外した状態の構成を示す背面図である。
【図９】本発明に係る光源装置の補強杆を取外した状態の構成を示す支持体の背面側斜視図である。
【図１０】本発明に係る光源装置の光源部分の構成を示す模式的断面図である。
【図１１】本発明に係る光源装置の構成を示す模式的断面図である。
【図１２】本発明に係る光源装置の光源の構成を示す模式的説明図である。
【図１３】本発明に係る光源装置の補強杆の構成を示す斜視図である。
【図１４】本発明に係る光源装置の補強杆の取付部の構成を示す拡大断面図である。
【図１５】本発明に係る光源装置の台板の構成を示す背面図である。
【図１６】本発明に係る光源装置を備える表示装置の構成を示す断面図である。
【符号の説明】
【００５２】
１    発光ダイオード（光源）
３    支持体
３１  板部
６    補強杆
７    第２補強杆
８    台板
８３  第３突片（被取付部）
９    第３補強杆
１５  電源回路基板（回路基板）
１６  制御回路基板（回路基板）
１８，１９  カバー
１８ａ，１９ａ  被覆板部
１８ｂ，１９ｂ  被取付部
１８ｃ，１９ｃ  第２被取付部
１８ｄ，１９ｄ  遮蔽板部（遮蔽部）
２０  電源回路基板（第３回路基板）
２１  端子回路基板（第２回路基板）
２２  第２台板
４０  表示部
Ａ  光源装置
【図１】
2010067520.tif 000003
【図２】
2010067520.tif 000004
【図３】
2010067520.tif 000005
【図４】
2010067520.tif 000006
【図５】
2010067520.tif 000007
【図６】
2010067520.tif 000008
【図７】
2010067520.tif 000009
【図８】
2010067520.tif 000010
【図９】
2010067520.tif 000011
【図１０】
2010067520.tif 000012
【図１１】
2010067520.tif 000013
【図１２】
2010067520.tif 000014
【図１３】
2010067520.tif 000015
【図１４】
2010067520.tif 000016
【図１５】
2010067520.tif 000017
【図１６】
2010067520.tif 000018